(57)【要約】  【課題】  監視対象に発生するイベントの状況をより詳細に伝達すること。  【解決手段】  監視対象１２、１３の動画と監視対象１２、１３の運転データとを含む監視情報をセンサ群２１、２２、２５、３１、３２、３６から収集する監視情報収集部４４と、監視情報に基づいて監視対象１２、１３に発生するイベントを検出するイベント検出部４５と、監視対象１２、１３に発生イベントが発生したときに、発生イベントに関する公開用動画を動画から抽出する動画作成部４６と、公衆回線網４を介して公開用動画を端末７に公開するウェブページ９１を作成するページ作成部４７とを備えている。ユーザ１４は、端末７を用いて、発生イベントが発生したときの監視対象１２、１３の動画を閲覧することができる。このような公開用動画は、現在の監視対象１２、１３の動画を閲覧することより、発生イベントの状況をより詳細に示している。  【選択図】図１
2005115788.tif 000002
【特許請求の範囲】
【請求項１】
監視対象の動画と前記監視対象の運転データとを含む監視情報をセンサ群から収集する監視情報収集部と、
前記監視情報に基づいて前記監視対象に発生するイベントを検出するイベント検出部と、
前記監視対象に発生イベントが発生したときに、前記発生イベントに関する公開用動画を前記動画から抽出する動画作成部と、
公衆回線網を介して前記公開用動画を端末に公開するウェブページを作成するページ作成部
とを具備する監視装置。
【請求項２】
請求項１において、
前記イベントを前記端末に対応付ける通知先データベースと、
前記通知先データベースを参照して、前記端末のうちの前記発生イベントに対応する通知端末に前記発生イベントが発生したことを通知する通知部
とを更に具備する監視装置。
【請求項３】
請求項２において、
前記通知先データベースは、前記端末に条件を更に対応付け、
前記通知部は、前記通知先データベースを参照して、前記通知端末に対応する条件を前記発生イベントが満たさないときに、前記発生イベントが発生したことを通知しない
監視装置。
【請求項４】
請求項２または請求項３のいずれかにおいて、
前記端末から収集される通知依頼情報に基づいて前記通知先データベースを更新する通知先データベース更新部
を更に具備する監視装置。
【請求項５】
請求項１〜請求項４のいずれかにおいて、
前記イベントと記録内容とを対応付けるイベントデータベースを更に具備し、
前記動画作成部は、前記イベントデータベースを参照して、前記発生イベントに対応する記録内容に基づいて前記動画から前記公開用動画を抽出する
監視装置。
【請求項６】
請求項５において、
前記端末から収集される公開依頼情報に基づいて前記イベントデータベースを更新するイベントデータベース更新部
を更に具備する監視装置。
【請求項７】
請求項１〜請求項６のいずれかにおいて、
前記公開用動画を前記発生イベントに対応付けて記録する動画データベースを更に具備し、
前記動画データベースは、前記動画のうちの前記公開用動画を除く部分を記録しない
監視装置。
【請求項８】
監視対象の動画と前記監視対象の運転データとを含む監視情報をセンサ群から収集するステップと、
前記監視情報に基づいて前記監視対象に発生するイベントを検出するステップと、
前記監視対象に発生イベントが発生したときに、前記発生イベントに関する公開用動画を前記動画から抽出するステップと、
公衆回線網を介して前記公開用動画を端末に公開するウェブページを作成するステップ
とを具備する監視方法。
【請求項９】
請求項１において、
前記イベントを前記端末に対応付ける通知先データベースを参照して、前記端末のうちの前記発生イベントに対応する通知端末に前記発生イベントが発生したこと示す電子メールを送付するステップ
とを更に具備する監視方法。
【請求項１０】
請求項９において、
前記通知先データベースは、前記端末に条件を更に対応付け、
前記電子メールは、前記条件のうち前記通知端末に対応する条件を前記発生イベントが満たさないときに、送付されない
監視方法。
【請求項１１】
請求項９または請求項１０のいずれかにおいて、
前記端末から収集される通知依頼情報に基づいて前記通知先データベースを更新するステップ
を更に具備する監視方法。
【請求項１２】
請求項８〜請求項１１のいずれかにおいて、
前記公開用動画は、前記イベントと記録内容とを対応付けるイベントデータベースを参照して、前記発生イベントに対応する記録内容に基づいて前記動画から抽出される
監視方法。
【請求項１３】
請求項１２において、
前記端末から収集される公開依頼情報に基づいて前記イベントデータベースを更新するステップ
を更に具備する監視方法。
【請求項１４】
請求項８〜請求項１３のいずれかにおいて、
動画データベースに前記公開用動画を前記発生イベントに対応付けて記録するステップを更に具備し、
前記動画のうちの前記公開用動画を除く部分は、前記動画データベースに記録されない
監視方法。
【発明の詳細な説明】
【技術分野】
【０００１】
本発明は、監視装置及び監視方法に関し、特に、プラントを監視する場合に利用される監視装置及び監視方法に関する。
【背景技術】
【０００２】
河川制御プラント、化学プラント、原子力プラント、水処理プラントに例示される各種プラントは、無人化されることが望まれている。無人化されたそのプラントを監視し、その監視結果をそのプラントから遠隔の地点に配置される関係者に通知する遠隔監視装置が知られている。
【０００３】
特開２００２−１０９１４４号公報には、河川の周囲環境を考慮して、水位を速やかに所定の値に設定することができ、更には携帯端末を使用して、河川の状況に係る各種情報を得ることができる河川管理システムが開示されている。その河川管理システムは、河川の水を排水する排水機場部と、河川の状況および河川の周辺状況を監視し、且つ監視結果を表すウェブサーバを備えるサーバ部と、インターネット網を介して、サーバ部をアクセスする遠隔操作部を備え、サーバ部は、河川の状況を整える対応作業を実行する係員の連絡先を係員が対応作業に着手するまでに要する時間を表す対応時間が対応付けられた通知先リストと、通知先リストを参照して、対応作業の着手が猶予される猶予時間以内の対応時間が設定された係員に対応作業を依頼する通信制御部を備えている。
【０００４】
特開２００３−４６６５９号公報には、無人化されたプラントの異常事態を解消する対策を迅速に実施することができる遠隔監視制御装置が開示している。その遠隔監視装置は、機側制御装置からプラント本体の状況を示す状況信号を受信する状況信号受信部と、状況に基づいてプラント本体の状態を診断する診断部と、診断部によりプラント本体に異常事態が発見されたときにプラント本体の保守員に携帯される携帯端末に接続されたネットワークを介して携帯端末に警告を通知する警告通知部とを備えている。
【０００５】
特開２００１−２４５０６９号公報には、警備会社によらずとも各個人が携帯電話により自らの家庭で異常状態が発生している旨の通報を受け、携帯電話の画像表示装置により自らの家庭の状況を把握することができる、低コストのホームセキュリティーシステムが開示されている。そのホームセキュリティーシステムは、ユーザにより監視されることが望まれた対象を含む空間内の所定の場所に設置された、異常検知センサおよび監視カメラからなる異常状態認識手段と、該異常状態認識手段に接続され、かつ動画像を伝送し得る携帯電話回線網を介してユーザーの携帯電話に異常状態を伝達するためのセキュリティーボックスとからなるホームセキュリティーシステムであって、その異常検知センサが異常状態を認識した場合に、ユーザーの携帯電話に対してコールすると共に異常状態が発生した旨のメッセージを送信し、該コールおよびメッセージを受信したユーザーが、携帯電話の画像表示装置においてその監視されるべき対象の状況を把握することができることを特徴としている。
【０００６】
プラントに発生するイベントの状況をより詳細に伝達する監視装置が望まれている。
【０００７】
【特許文献１】特開２００２−１０９１４４号公報
【特許文献２】特開２００３−４６６５９号公報
【特許文献３】特開２００１−２４５０６９号公報
【発明の開示】
【発明が解決しようとする課題】
【０００８】
本発明の課題は、監視対象に発生するイベントの状況をより詳細に伝達する監視装置及び監視方法を提供することにある。
本発明の他の課題は、イベントの発生をより適切な通知先に伝達する監視装置及び監視方法を提供することにある。
本発明のさらに他の課題は、より適切な動画を公開する監視装置及び監視方法を提供することにある。
本発明のさらに他の課題は、ユーザにより使い勝手が良い監視装置及び監視方法を提供することにある。
本発明のさらに他の課題は、よりコストが小さい監視装置及び監視方法を提供することにある。
【課題を解決するための手段】
【０００９】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１０】
本発明による監視装置（１）は、監視対象（１２、１３）の動画と監視対象（１２、１３）の運転データとを含む監視情報をセンサ群（２１、２２、２５、３１、３２、３６）から収集する監視情報収集部（４４）と、監視情報に基づいて監視対象（１２、１３）に発生するイベントを検出するイベント検出部（４５）と、監視対象（１２、１３）に発生イベントが発生したときに、発生イベントに関する公開用動画を動画から抽出する動画作成部（４６）と、公衆回線網（４）を介して公開用動画を端末（７）に公開するウェブページ（９１）を作成するページ作成部（４７）とを備えている。
【００１１】
ユーザ（１４）は、端末（７）を用いて、発生イベントが発生したときの監視対象（１２、１３）の動画を閲覧することができる。このとき、ユーザ（１４）は、現在の監視対象（１２、１３）の動画を閲覧することより、発生イベントの状況をより詳細に知ることができる。
【００１２】
本発明による監視装置（１）は、イベントを端末（７）に対応付ける通知先データベース（４３）と、通知先データベース（４３）を参照して、端末（７）のうちの発生イベントに対応する通知端末（７）に発生イベントが発生したことを通知する通知部（４８）とを更に備えている。ユーザ（１４）は、端末（７）を用いて発生イベントの発生をより速く知ることができる。ユーザ（１４）は、さらに、端末（７）を用いて通知してもらいたい発生イベントの発生のみをより速く知ることができる。
【００１３】
通知先データベース（４３）は、端末（７）に条件を更に対応付け、通知部（４８）は、通知先データベース（４３）を参照して、通知端末（７）に対応する条件を発生イベントが満たさないときに、発生イベントが発生したことを通知しない。監視装置（１）は、その条件を満たす発生イベントが発生したときに、その旨を通知端末（７）に通知し、発生イベントがその条件を満たさないときに、その旨を通知端末（７）に通知しない。たとえば、その条件としては、発生イベントが発生する発生時刻の範囲が例示され、このとき、ユーザ（１４）は、発生イベントが発生する発生時刻が所望の範囲に含まれるときのみに、通知してもらうことができる。
【００１４】
本発明による監視装置（１）は、端末（７）から収集される通知依頼情報に基づいて通知先データベース（４３）を更新する通知先データベース更新部（４９）を更に備えている。ユーザ（１４）は、端末（７）を用いて、通知してもらいたいイベントを設定し、通知してもらうときのイベントの条件（たとえば、発生時刻）を設定することができ、より使い勝手が良い
【００１５】
本発明による監視装置（１）は、イベントと記録内容とを対応付けるイベントデータベース（４１）を更に備えている。動画作成部（４６）は、イベントデータベース（４１）を参照して、発生イベントに対応する記録内容に基づいて動画から公開用動画を抽出する。記録内容としては、公開用動画の被写体、公開用動画の録画時間が例示される。公開用動画は、一般的に、イベント毎に要求される内容（被写体、時間）が異なる。監視装置（１）は、発生イベント毎に異なる公開用動画を作成することができ、より適切な公開用動画を作成することができる。
【００１６】
本発明による監視装置（１）は、端末（７）から収集される公開依頼情報に基づいてイベントデータベース（４１）を更新するイベントデータベース更新部（５０）を更に備えている。ユーザ（１４）は、端末（７）を用いて、公開用動画の内容を設定することができ、より使い勝手が良い。
【００１７】
本発明による監視装置（１）は、公開用動画を発生イベントに対応付けて記録する動画データベース（４２）を更に備えている。動画データベース（４２）は、動画のうちの公開用動画を除く部分を記録しない。このとき、監視装置（１）は、記録装置の記録容量を削減することができ、より製造コストが小さく好ましい。
【００１８】
本発明による監視方法は、監視対象（１２、１３）の動画と監視対象（１２、１３）の運転データとを含む監視情報をセンサ群（２１、２２、２５、３１、３２、３６）から収集するステップ（Ｓ１２）と、監視情報に基づいて監視対象（１２、１３）に発生するイベントを検出するステップ（Ｓ１３）と、監視対象（１２、１３）に発生イベントが発生したときに、発生イベントに関する公開用動画を動画から抽出するステップ（Ｓ１４）と、公衆回線網（４）を介して公開用動画を端末（７）に公開するウェブページ（９１）を作成するステップとを備えている。
【００１９】
ユーザ（１４）は、端末（７）を用いて、発生イベントが発生したときの監視対象（１２、１３）の動画を閲覧することができる。このとき、ユーザ（１４）は、現在の監視対象（１２、１３）の動画を閲覧することより、発生イベントの状況をより詳細に知ることができる。
【００２０】
本発明による監視方法は、イベントを端末（７）に対応付ける通知先データベース（４３）を参照して、端末（７）のうちの発生イベントに対応する通知端末（７）に発生イベントが発生したこと示す電子メールを送付するステップ（Ｓ１６、Ｓ１７）とを更に備えている。ユーザ（１４）は、端末（７）を用いて発生イベントの発生をより速く知ることができる。ユーザ（１４）は、さらに、端末（７）を用いて通知してもらいたい発生イベントの発生のみをより速く知ることができる。
【００２１】
通知先データベース（４３）は、端末（７）に条件を更に対応付け、電子メールは、条件のうち通知端末（７）に対応する条件を発生イベントが満たさないときに、送付されない。すなわち、その電子メールは、その条件を満たす発生イベントが発生したときに、その旨を通知端末（７）に通知し、発生イベントがその条件を満たさないときに、その旨を通知端末（７）に通知しない。たとえば、その条件としては、発生イベントが発生する発生時刻の範囲が例示され、このとき、ユーザ（１４）は、発生イベントが発生する発生時刻が所望の範囲に含まれるときのみに、通知してもらうことができる。
【００２２】
本発明による監視方法は、端末（７）から収集される通知依頼情報に基づいて通知先データベース（４３）を更新するステップ（Ｓ１、Ｓ２）を更に備えている。ユーザ（１４）は、端末（７）を用いて、通知してもらいたいイベントを設定し、通知してもらうときのイベントの条件（たとえば、発生時刻）を設定することができ、より使い勝手が良い。
【００２３】
公開用動画は、イベントと記録内容とを対応付けるイベントデータベース（４１）を参照して、発生イベントに対応する記録内容に基づいて動画から抽出される。記録内容としては、公開用動画の被写体、公開用動画の録画時間が例示される。公開用動画は、一般的に、イベント毎に要求される内容（被写体、時間）が異なる。監視装置（１）は、発生イベント毎に異なる公開用動画を作成することができ、より適切な公開用動画を作成することができる。
【００２４】
本発明による監視方法は、端末（７）から収集される公開依頼情報に基づいてイベントデータベース（４１）を更新するステップ（Ｓ３、Ｓ４）を更に備えている。ユーザ（１４）は、端末（７）を用いて、公開用動画の内容を設定することができ、より使い勝手が良い。
【００２５】
本発明による監視方法は、動画データベース（４２）に公開用動画を発生イベントに対応付けて記録するステップ（Ｓ１５）を更に備えている。動画のうちの公開用動画を除く部分は、動画データベース（４２）に記録されない。このとき、動画を記録する記録装置の記録容量を削減することができ、より製造コストが小さく好ましい。
【発明の効果】
【００２６】
本発明による監視装置及び監視方法によれば、ユーザは、発生イベントの状況をより詳細に知ることができる。
【発明を実施するための最良の形態】
【００２７】
図面を参照して、本発明による監視装置の実施の形態を記載する。その監視装置１は、図１に示されているように、監視システム２に適用されている。監視システム２は、複数の回線網を介して複数の情報処理装置（コンピュータ）が互いに双方向に情報を伝送することができるように接続されている。その複数の回線網は、ＷＡＮ（ｗｉｄｅ  ａｒｅａ  ｎｅｔｗｏｒｋ）３とインターネット４とから形成されている。その複数の情報処理装置は、監視装置１と伝送制御装置５と伝送制御装置６と携帯端末７とから形成されている。監視装置１は、ＷＡＮ３とインターネット４とに接続されている。伝送制御装置５は、ＷＡＮ３に接続されている。伝送制御装置６は、ＷＡＮ３に接続されている。携帯端末７は、インターネット４に接続されている。
【００２８】
監視装置１は、ワークステーションに例示される情報処理装置であり、監視センタ１１により使用されている。伝送制御装置５は、パーソナルコンピュータに例示される情報処理装置であり、排水機場１２に配置されている。伝送制御装置６は、パーソナルコンピュータに例示される情報処理装置であり、樋門１３に配置されている。携帯端末７は、携帯電話機に例示される情報処理装置であり、通知先１４により使用されている。通知先１４としては、排水機場１２または樋門１３で作業する作業者、排水機場１２または樋門１３に配置される機器のメーカが例示される。携帯端末７は、インターネット４に公開されているウェブページを閲覧することができ、インターネット４に公開されている動画を再生することができる。監視センタ１１は、監視装置１を用いて、排水機場１２または樋門１３に発生したイベントに関する情報を通知先１４に通知するサービスを提供する業者である。
【００２９】
排水機場１２は、本川に支川が合流する地点に、その支川を塞き止める水門とともに配置されている。その水門は、雨などの原因により本川の水位が支川の水位よりも高くなると、閉じられて、本川から支川への水の逆流を防いでいる。排水機場１２は、水位計２１と監視カメラ２２とポンプ２３と自家発電機２４と制御装置２５とを備えている。水位計２１は、支川の水位を計測して、伝送制御装置５にその水位を通知し、制御装置２５にその水位を通知する。監視カメラ２２は、複数が設けられ、それぞれ異なる被写体の動画を撮像して、その動画を伝送制御装置５に送信する。その被写体としては、本川、支川、水門、ポンプ２３、自家発電機２４、ポンプ２３に流れ込もうとする塵を捕獲する除塵機が例示される。
【００３０】
ポンプ２３は、その水門が閉じられているときに、支川から本川に水を汲み出して支川の氾濫を防ぐ。自家発電機２４は、燃料から電力を生成し、その電力を排水機場１２が備える機器（たとえば、ポンプ２３）に供給する。制御装置２５は、支川の水位を水位計２１から収集し、支川の水位が所定の値を超えるときに、ポンプ２３と自家発電機２４とを駆動する。制御装置２５は、さらに、ポンプ２３の運転状態と自家発電機２４の運転状態とを伝送制御装置５に通知する。
【００３１】
伝送制御装置５は、ＷＡＮ３を介して、水位計２１から収集された支川の水位を監視装置１に通知する。伝送制御装置５は、さらに、ＷＡＮ３を介して、監視カメラ２２から収集された動画を監視装置１に通知する。伝送制御装置５は、さらに、ＷＡＮ３を介して、制御装置２５から収集されたポンプ２３の運転状態と自家発電機２４の運転状態とを監視装置１に通知する。
【００３２】
樋門１３は、本川に支川が合流する地点に配置されている。樋門１３は、水位計３１と監視カメラ３２とポンプゲート３３とゲート３４と自家発電機３５と制御装置３６とを備えている。水位計３１は、支川の水位を計測して、伝送制御装置６にその水位を通知する。監視カメラ３２は、複数が設けられている。監視カメラ３２は、それぞれ異なる被写体の動画を撮像して、その動画を伝送制御装置６に送信する。その被写体としては、本川、支川、ポンプゲート３３、ゲート３４、自家発電機３５が例示される。
【００３３】
ポンプゲート３３は、閉鎖して支川から本川に水を汲み出して支川の氾濫を防ぐ。ゲート３４は、閉鎖して本川から支川への水の逆流を防ぐ。自家発電機３５は、燃料から電力を生成し、その電力を樋門１３が備える機器（たとえば、ポンプゲート３３）に供給する。制御装置３６は、支川の水位を水位計３１から収集し、支川の水位が所定の値を超えるときに、ポンプゲート３３とゲート３４と自家発電機３５とを駆動する。制御装置３６は、さらに、ポンプゲート３３の運転状態と自家発電機３５の運転状態とを伝送制御装置６に通知する。
【００３４】
伝送制御装置６は、ＷＡＮ３を介して、水位計３１から収集された支川の水位を監視装置１に通知する。伝送制御装置６は、さらに、ＷＡＮ３を介して、監視カメラ３２から収集された動画を監視装置１に通知する。伝送制御装置６は、さらに、ＷＡＮ３を介して、制御装置３６から収集されたポンプゲート３３の運転状態とゲート３４の運転状態と自家発電機３５の運転状態とを監視装置１に通知する。
【００３５】
図２は、監視装置１をさらに詳細に示している。監視装置１は、コンピュータプログラムであるイベントデータベース４１と動画データベース４２と通知先データベース４３と監視情報収集部４４とイベント検出部４５と動画作成部４６とページ作成部４７と通知部４８と通知先データベース更新部４９とイベントデータベース更新部５０とを備えている。
【００３６】
イベントデータベース４１は、排水機場１２または樋門１３に発生するイベントを判別する条件を記録し、そのイベントが発生したときに公開される動画の内容を記録している。動画データベース４２は、携帯端末７に公開される動画を記録している。通知先データベース４３は、そのイベントが発生したときに、その旨を通知すべき通知先を記録している。
【００３７】
監視情報収集部４４は、水位計２１により計測された水位と監視カメラ２２により撮像された動画とポンプ２３の運転状態と自家発電機２４の運転状態とを伝送制御装置５から収集する。監視情報収集部４４は、さらに、水位計３１により計測された水位と監視カメラ３２により撮像された動画とポンプゲート３３の運転状態とゲート３４の運転状態と自家発電機３５の運転状態とを伝送制御装置６から収集する。
【００３８】
イベント検出部４５は、イベントデータベース４１を参照して、監視情報収集部４４により収集された情報に基づいて、排水機場１２または樋門１３にイベントが発生しているかどうかを検出する。動画作成部４６は、監視情報収集部４４により収集された動画を一時的に記録し、イベント検出部４５によりイベントが検出されたときに、イベントデータベース４１を参照して、収集された動画から公開される動画を抽出して作成する。動画作成部４６は、さらに、イベントが検出されなかったときに、一時適に記録された動画のうち所定の時間だけ古いものを破棄する。ページ作成部４７は、間欠的に、携帯端末７に公開するウェブページを作成する。そのウェブページは、排水機場１２または樋門１３に配置された機器の運転状況を示すウェブページと、イベント検出部４５により検出されたイベントを公開し、動画作成部４６により作成された動画を携帯端末７に公開するウェブページとを含んでいる。
【００３９】
通知部４８は、イベント検出部４５によりイベントが検出されたときに、通知先データベース４３に記録されている連絡先に電子メールを送信して、そのイベントが発生したことを通知する。通知先データベース更新部４９は、携帯端末７から収集される情報に基づいて、通知先データベース４３を更新する。イベントデータベース更新部５０は、携帯端末７から収集される情報に基づいて、イベントデータベース４１を更新する。
【００４０】
図３は、イベントデータベース４１を示している。イベントデータベース４１は、イベント情報６１に対応付けて判別条件６２を記録している。イベント情報６１は、排水機場１２または樋門１３で発生するイベントを示している。判別条件６２は、そのイベントを判別する条件を示している。このとき、イベント検出部４５は、イベントデータベース４１を参照して、監視情報収集部４４により収集された情報が判別条件６２を満たしているときに、排水機場１２または樋門１３にイベント６１が発生していると判別する。
【００４１】
イベントデータベース４１は、さらに、イベント情報６１に対応付けて記録内容６３を記録している。記録内容６３は、そのイベントが発生したときに公開される動画の内容を示し、たとえば、その動画の撮影時間、被写体を示している。このとき、動画作成部４６は、イベントデータベース４１を参照して、イベント検出部４５によりイベントが検出されたときに、監視情報収集部４４により収集された動画から公開される動画を記録内容６３に基づいて抽出して作成する。
【００４２】
図４は、動画データベース４２を示している。動画データベース４２は、動画６４をイベント情報に対応付けて記録している。そのイベント情報は、イベント６５と発生時刻６６とから形成されている。動画６４は、動画作成部４６により作成された動画を示している。イベント６５は、排水機場１２または樋門１３で発生するイベントを互いに識別している。発生時刻６６は、そのイベントが発生した時刻を示している。
【００４３】
図５は、通知先データベース４３を示している。通知先データベース４３は、通知先６７を通知条件に対応付けて記録している。その通知条件は、イベント６８と条件６９とから形成されている。通知先６７は、携帯端末７の電子メールアドレスを示している。イベント６８は、通知先６７に通知するイベントを示している。条件６９は、イベントに関する条件を示し、たとえば、イベントが発生する時間帯を示している。このとき、通知部４７は、イベント検出部４５により検出されたイベントがイベント６８であり、かつ、条件６４を満たすときに、そのイベントが発生した旨を示す電子メールを通知先６７に送付する。
【００４４】
図６は、通知部４８より携帯端末７に通知される電子メールを示している。その電子メール７１は、排水機場１２または樋門１３で発生するイベントの内容を示し、発生場所７２と発生時刻７３とイベント名７４とが記載されている。発生場所７２は、そのイベントが発生した施設を示している。発生時刻７３は、そのイベントが発生した時刻を示している。イベント名７４は、そのイベントを識別する名称を示している。
【００４５】
図７は、ページ作成部４７により作成されるウェブページを示している。そのウェブページ８１は、更新時刻８３と施設名８４と機器名８５と運転状況８６とが記載されている。更新時刻８３は、ウェブページ８１が更新された時刻を示している。施設名８４は、監視されている施設を示し、すなわち、排水機場１２または樋門１３を示している。機器名８５は、施設名８４が示す施設に配置されている機器を示している。運転状況８６は、その機器が運転しているか停止中かを示している。
【００４６】
図８は、ページ作成部４７により作成される他のウェブページを示している。そのウェブページ９１は、更新時刻９３と施設名９４とイベント名９５、９６、９７とが記載されている。更新時刻９３は、ウェブページ９１が更新された時刻を示している。施設名９４は、監視されている施設（排水機場１２または樋門１３）を示している。イベント名９５、９６、９７は、イベントを識別する名称とそのイベントの発生時刻とを示している。イベント名９５、９６、９７は、ハイパーリンクが設定され、選択されることによりそのイベントに関する動画を携帯端末７に配信して再生させる。
【００４７】
本発明による監視方法の実施の形態は、イベントが発生したことを通知する通知先を決定する動作と、公開する動画の内容を設定する動作と、排水機場１２と樋門１３とを監視する動作と、イベントに関する動画を配信する動作とを備えている。
【００４８】
図９は、イベントが発生したことを通知する通知先を決定する動作を示している。通知先１４は、まず、携帯端末７を用いて通知依頼を監視装置１に送信する（ステップＳ１）。その通知依頼は、通知先１４が通知してもらいたいイベントと、通知してもらうときのイベントの条件とを示している。監視装置１は、その通知依頼を受信すると、その通知依頼に基づいて通知先データベース４３を更新する（ステップＳ２）。このとき、通知先１４は、携帯端末７を用いて、通知してもらいたいイベントを設定し、通知してもらうときのイベントの条件（たとえば、発生時刻）を設定することができ、より使い勝手が良い。
【００４９】
図１０は、公開する動画の内容を設定する動作を示している。通知先１４は、まず、携帯端末７を用いて記録依頼を監視装置１に送信する（ステップＳ３）。その記録依頼は、監視装置１に検出してもらいたいイベントと、そのイベントの発生を判別する条件と、そのイベントが発生したときに記録する動画の内容とを示している。監視装置１は、その記録依頼を受信すると、その記録依頼に基づいてイベントデータベース４１を更新する（ステップＳ４）。このとき、通知先１４は、携帯端末７を用いて、監視装置１により検出されるイベントを設定することができ、公開される動画の内容を設定することができ、より使い勝手が良い。
【００５０】
図１１は、排水機場１２と樋門１３とを監視する動作を示している。排水機場１２では、水位計２１が水位を計測し、監視カメラ２２が動画をにより撮像し、制御装置２５がポンプ２３の運転状態と自家発電機２４の運転状態と監視している。樋門１３では、水位計３１が水位を計測し、監視カメラ３２が動画を撮像し、制御装置３６がポンプゲート３３の運転状態とゲート３４の運転状態と自家発電機３５の運転状態とを監視している（ステップＳ１１）。これらの監視情報は、伝送制御装置５または伝送制御装置６により監視装置１に伝送される（ステップＳ１２）。
【００５１】
監視装置１は、受信した監視情報を所定の時間だけ一時的に記録する。監視装置１は、イベントデータベース４１を参照して、受信した監視情報に基づいてイベントが発生しているかどうかを判別する（ステップＳ１３）。監視装置１は、イベントが発生していると判別したときに（ステップＳ１３；ＹＥＳ）、イベントデータベース４１を参照して、ステップＳ１２で受信した動画から公開する動画を抽出して作成し（ステップＳ１４）、その動画をイベントと発生時刻とに対応付けて動画データベース４２に記録する（ステップＳ１５）。このとき、監視装置１は、イベント毎に異なる公開用動画を作成することができ、公開される動画をより適切に作成することができる。監視装置１は、さらに、記録されている監視情報の動画のうちの所定の時間を経過した部分を破棄する。このような破棄は、記録装置の記録容量を削減することができ、監視装置１の製造コストをより低減し好ましい。
【００５２】
監視装置１は、通知先データベース４３を参照して、発生しているイベントを通知すべき通知先を検索する（ステップＳ１６）。監視装置１は、イベントが発生している旨を示す電子メールを作成して、検索された通知先の携帯端末７にその電子メールを送付する（ステップＳ１７）。その通知先は、携帯端末７にその電子メールを表示させて閲覧する（ステップＳ１８）。このとき、通知先１４は、携帯端末７を用いて通知してもらいたいイベントの発生のみを知ることができる。
【００５３】
図１２は、イベントに関する動画を配信する動作を示している。通知先は、まず、携帯端末７を用いて監視装置１にアクセスして、排水機場１２または樋門１３の状況を問い合わせる（ステップＳ２１）。監視装置１は、その問い合わせに応答して、ウェブページ８１、９１を携帯端末７に配信する（ステップＳ２２）。通知先は、携帯端末７を用いてウェブページ８１、９１を閲覧する。通知先は、動画を閲覧したいイベントがあるときに、そのイベントに対応するハイパーリンクを選択して、監視装置１にその動画を要求する（ステップＳ２３）。監視装置１は、その要求に応答して、その動画を携帯端末７に配信する（ステップＳ２４）。
【００５４】
このとき、通知先１４は、携帯端末７を用いて、発生イベントが発生したときの排水機場１２または樋門１３の動画を閲覧することができる。このような動画は、現在の排水機場１２または樋門１３の動画より、発生イベントの状況をより詳細に示している。この結果、通知先１４は、発生イベントの状況をより詳細に知ることができる。
【図面の簡単な説明】
【００５５】
【図１】図１は、監視システムを示すブロック図である。
【図２】図２は、本発明による監視装置の実施の形態を示すブロック図である。
【図３】図３は、イベントデータベースを示す図である。
【図４】図４は、動画データベースを示す図である。
【図５】図５は、通知先データベースを示す図である。
【図６】図６は、通知先に送付される電子メールを示す図である。
【図７】図７は、携帯端末に公開されるウェブページを示す図である。
【図８】図８は、携帯端末に公開される他のウェブページを示す図である。
【図９】図９は、イベントが発生したことを通知する通知先を決定する動作を示すフローチャートである。
【図１０】図１０は、公開する動画の内容を設定する動作を示すフローチャートである。
【図１１】図１１は、排水機場１２と樋門１３とを監視する動作を示すフローチャートである。
【図１２】図１２は、イベントに関する動画を配信する動作を示すフローチャートである。
【符号の説明】
【００５６】
１  ：監視装置
２  ：監視システム
３  ：ＷＡＮ
４  ：インターネット
５  ：伝送制御装置
６  ：伝送制御装置
７  ：携帯端末
１１：監視センタ
１２：排水機場
１３：樋門
１４：通知先
２１：水位計
２２：監視カメラ
２３：ポンプ
２４：自家発電機
２５：制御装置
３１：水位計
３２：監視カメラ
３３：ゲートポンプ
３４：ゲート
３５：自家発電機
３６：制御装置
４１：イベントデータベース
４２：動画データベース
４３：通知先データベース
４４：監視情報収集部
４５：イベント検出部
４６：動画作成部
４７：ページ作成部
４８：通知部
４９：通知先データベース更新部
５０：イベントデータベース更新部
６１：イベント
６２：判別条件
６３：記録内容
６４：動画
６５：イベント
６６：発生時刻
６７：通知先
６８：イベント
６９：条件
７１：電子メール
７２：発生場所
７３：発生時刻
７４：イベント名
８１：ウェブページ
８３：更新時刻
８４：施設名
８５：機器名
８６：運転状況
９１：ウェブページ
９３：更新時刻
９４：施設名
９５、９６、９７：イベント名
【図１】
2005115788.tif 000003
【図２】
2005115788.tif 000004
【図３】
2005115788.tif 000005
【図４】
2005115788.tif 000006
【図５】
2005115788.tif 000007
【図６】
2005115788.tif 000008
【図７】
2005115788.tif 000009
【図８】
2005115788.tif 000010
【図９】
2005115788.tif 000011
【図１０】
2005115788.tif 000012
【図１１】
2005115788.tif 000013
【図１２】
2005115788.tif 000014